(57)【要約】【課題】特定人が所定の機能を使用することができると共に、その所定の機能について特定人以外の他人の使用を制限できる携帯電話装置を得る。【解決手段】第１ロックナンバの入力により複数の機能をロックして使用不可能とし、ロックされた機能のうち一部の機能のロックを第２ロックナンバの入力により解除して使用可能とし、解除された機能を第３ロックナンバの入力によりロックして使用不可能とする制御手段３６を有する構成とした。【選択図】      図１
2005244675.tif 000002
【特許請求の範囲】
【請求項１】
複数の機能を有し、入力部からロックナンバを入力することにより、前記機能の使用を制限可能な携帯電話装置であり、
第１ロックナンバの入力により複数の機能をロックして使用不可能とし、ロックされた前記機能のうち一部の機能のロックを第２ロックナンバの入力により解除して使用可能とし、解除された前記機能を第３ロックナンバの入力によりロックして使用不可能とする制御手段を有することを特徴とする携帯電話装置。
【請求項２】
複数の機能を有し、入力部からロックナンバを入力することにより、前記機能の使用を制限可能な携帯電話装置であり、
第１ロックナンバの入力により複数の機能をロックして使用不可能とし、ロックされた前記機能のうち一部の機能のロックを第２ロックナンバの入力により解除して使用可能とし、解除された前記機能の一部を第３ロックナンバの入力によりロックして使用不可能とする制御手段を有することを特徴とする携帯電話装置。
【請求項３】
複数の機能を有し、入力部からロックナンバを入力することにより、前記機能の使用を制限可能な携帯電話装置であり、
第１のロックナンバの入力に応じて複数の機能の使用を制限し、該制限の状態で、前記第１のロックナンバと異なる第２のロックナンバの入力に応じて、前記第１のロックナンバの入力による機能制限を解除すると共に、前記第１のロックナンバの入力により制限された機能と異なる機能を制限することを特徴とする携帯電話装置。
【請求項４】
複数の機能を有し、入力部からロックナンバを入力することにより、前記機能の使用を制限可能な携帯電話装置であり、
第１のロックナンバの入力に応じて複数の機能の使用を制限し、該制限の状態で、前記第１のロックナンバと異なる第２のロックナンバの入力に応じて、前記第１のロックナンバの入力による機能制限を解除すると共に、前記第１のロックナンバの入力により制限された機能の一部と前記第１のロックナンバの入力により制限された機能と異なる機能とを制限することを特徴とする携帯電話装置。
【請求項５】
複数の機能を有し、入力部からロックナンバを入力することにより、前記機能の使用を制限可能な携帯電話装置であり、
第１のロックナンバの入力に応じて複数の機能の使用を制限し、該制限の状態で、前記第１のロックナンバと異なる第２のロックナンバの入力に応じて、前記第１のロックナンバの入力により制限された機能の一部を解除すると共に、前記第１のロックナンバの入力により制限された機能と異なる機能を制限することを特徴とする携帯電話装置。
【請求項６】
複数の機能を有し、入力部からロックナンバを入力することにより、前記機能の使用を制限可能な携帯電話装置であり、
第１のロックナンバで、前記機能の内複数の機能の使用を制限し、前記第１のロックナンバと異なる第２のロックナンバで、前記制限した複数の機能の内、所定の機能の使用の制限のみ解除することを特徴とする携帯電話装置。
【発明の詳細な説明】
【技術分野】
【０００１】
本発明は、カメラ機能、電子メール機能及びインターネット接続機能など複数の機能を備えた携帯電話装置に関する。
【背景技術】
【０００２】
最近の携帯電話装置として、本来の電話機能以外に、写真を撮ることができるカメラ機能、電子メールを送受信することができる電子メール機能及びインターネットに接続することができるインターネット接続機能などを備えた多機能のものが知られている。このような多機能の携帯電話装置の使用年齢も年々低下する傾向にあり、今では小学生が自分の携帯電話装置を持っていることも珍しくない。
【０００３】
ところで、このような多機能の携帯電話装置は便利な反面、屋外に携帯して使用するという性質上、紛失したり盗難の被害に遭う危険がある。携帯電話装置を盗難者に使用されると、その使用料を事業者から請求されたり、携帯電話装置のメモリに格納されている個人情報が知られてしまうことになる。
【０００４】
かかる問題点を考慮して、各種機能のロックを設定／解除する制御手段を設け、さらに、外部の通信装置から発信することにより、留守録手段を起動させ他の通信装置と通信状態にしたときに、他の通信装置の遠隔操作で制御手段を作動可能にする携帯電話装置が知られている（下記特許文献１）。
【特許文献１】特開平１１−３２３６９号公報
【発明の開示】
【発明が解決しようとする課題】
【０００５】
しかしながら、例えば、親が子供に携帯電話装置を使用させる場合には、各種機能を全てロックするという訳には行かず、子供に必要な最低限の機能を使用できるようにロックを解除させる必要がある。また、ロックを解除させて子供が所定の機能を使用できるようにした場合でも、他人（例えば、学校の友人）もその機能を使用できる状態にすることは子供のプライバシーを守る観点から好ましくない。
【０００６】
そこで、本発明は、上記事情を考慮し、特定人が所定の機能を使用することができると共に、その所定の機能について特定人以外の他人の使用を制限できる携帯電話装置を提供することを目的とする。
【課題を解決するための手段】
【０００７】
本願発明は、複数の機能を有し、入力部からロックナンバを入力することにより、前記機能の使用を制限可能な携帯電話装置であり、第１ロックナンバの入力により複数の機能をロックして使用不可能とし、ロックされた前記機能のうち一部の機能のロックを第２ロックナンバの入力により解除して使用可能とし、解除された前記機能を第３ロックナンバの入力によりロックして使用不可能とする制御手段を有することを特徴とする。
【０００８】
本願発明によれば、第１ロックナンバが入力されると、制御手段により複数の機能がロックされる。これにより、複数の機能を使用することができなくなる。また、第２ロックナンバが入力されると、第１ロックナンバの入力によりロックされた複数の機能のうち一部の機能のロックが制御手段により解除される。これにより、ロックされた複数の機能のうちの一部の機能を使用することができる。さらに、第３ロックナンバが入力されると、第２ロックナンバの入力により解除された機能が制御手段によりロックされる。これにより、第２ロックナンバの入力によりロックが解除された一部の機能が再び使用できなくなる。
【０００９】
例えば、ユーザが特定の人（以下、適宜「特定人」という。）に携帯電話装置を使用させる場合に、ユーザが予め第１ロックナンバを入力して複数の機能をロックし、さらに第２ロックナンバを入力して一部の機能のロックを解除することにより、その特定人にとって必要な機能（一部の機能）だけを特定人に自由に使用させることができる。さらに、その特定人が自ら第３ロックナンバを入力してその一部の機能をロックすることにより、特定人以外の他人はその一部の機能を使用することができない。これにより、特定人に必要な一部の機能だけをその特定人に使用させることができるとともに、その特定人のプライバシーも守ることができる。
【発明の効果】
【００１０】
本願発明は、第１ロックナンバが入力されると制御手段により複数の機能がロックされ複数の機能を使用することができなくなり、また第２ロックナンバが入力されると第１ロックナンバの入力によりロックされた複数の機能のうち一部の機能のロックが制御手段により解除され、ロックされた複数の機能のうちの一部の機能を使用することができ、さらに第３ロックナンバが入力されると第２ロックナンバの入力により解除された機能が制御手段によりロックされ、第２ロックナンバの入力によりロックが解除された一部の機能が再び使用できなくなる。これにより、特定人に必要な一部の機能だけをその特定人に使用させることができるとともに、その特定人のプライバシーも守ることができる。
【００１１】
又、複数の使用者間で携帯電話を使用し、一方の使用者から他方の使用者へ携帯電話を貸すときに、複数のロックナンバを用いて、貸し出す相手先や状況に応じて所望の機能のみを規制することが可能である。又、使用者夫々が固有のロックナンバと該ロックナンバに対応する機能制限を持っておき、使用者間で携帯電話装置を貸しあう際に、その人だけの機能制限を行なうことが可能である。
【発明を実施するための最良の形態】
【００１２】
次に、本発明の一実施形態に係る携帯電話装置について、図面を参照して説明する。
【００１３】
図１に示すように、携帯電話装置１０は、アンテナ１６と接続された通信部１２を備えている。この通信部１２は、後述のベースバンド部１４からの信号をアンテナ１６を介して基地局へ発信し、あるいはアンテナ１６を介して基地局からの電波を受信する。この通信部１２により、携帯電話装置１０は、他の通信装置（例えば、携帯電話装置など）と通信（通話）することができるとともに、電子メールの送受信が可能となり、さらにはインターネットに接続することも可能となる。
【００１４】
また、通信部１２は、ベースバンド部１４と接続されている。ベースバンド部１４は、ＣＤＭＡ処理回路１８と、音声コーデック２０と、を有している。ここで、ＣＤＭＡ処理回路１８は、符号分割多元接続、スクランブル、誤り制御、タイミング検出を行う。また、音声コーデック２０は、音声を圧縮（符号化）、伸張（復号化）したり、アナログとデジタルの変換を行ったり、内部の増幅回路（図示省略）により受話音量やマイクロホンの感度を変更する。
【００１５】
また、ベースバンド部１４には、切替回路２２が接続されている。この切替回路２２には、増幅回路２４を介して第１スピーカ２６が接続されている。この第１スピーカ２６は、増幅回路２４で増幅されたベースバンド部１４の電気信号を音声に変換する。この第１スピーカ２６は、ユーザの耳にあてて通話に使用される。
【００１６】
また、切替回路２２には、増幅回路２８を介してマイクロホン３０が接続されている。このマイクロホン３０は、通話に使用され、音声を電気信号に変換する。マイクロホン３０により出力された電気信号は、増幅回路２８で増幅されてベースバンド部１４に出力される。
【００１７】
また、切替回路２２には、増幅回路３２を介して第２スピーカ３４が接続されている。この第２スピーカ３４は、増幅回路３２で増幅されたベースバンド部１４の電気信号を音声に変換する。この第２スピーカ３４は、受話音を周囲の人にも聞かせるための拡声用のスピーカである。また、第２スピーカ３４は、着信報知の鳴動も行う。なお、これらの３つの増幅回路２４、２８、３２は、ゲインを固定しており、第１スピーカ２６及び第２スピーカ３４の音量やマイクロホン３０の感度を変更することはできないようになっている。
【００１８】
この切替回路２２は、ベースバンド部１４との接続を、第１スピーカ２６用の増幅回路２４とマイクロホン３０用の増幅回路２８側にするか、あるいは拡声用の第２スピーカ３４用の増幅回路３２とマイクロホン３０用の増幅回路２８側にするかを切り替える。
【００１９】
また、通信部１２、ベースバンド部１４及び切替回路２２には、制御回路（制御手段）３６がそれぞれ接続されている。この制御回路３６の制御により上述した切替回路２２による切り替えが行われる。また、制御回路３６によりベースバンド部１４の音声コーデック２０が制御され、音声コーデック２０により第１スピーカ２６及び第２スピーカ３４の音量やマイクロホン３０の感度が変更される。制御回路３６は、ＲＯＭ３８と接続されており、ＲＯＭ３８に格納されているシステムプログラムに基づき各部を制御する。
【００２０】
また、制御回路３６は、ＲＡＭ４０と接続されている。このＲＡＭ４０には、制御回路３６の動作に必要な所定の情報や、複数の機能を制御回路３６によりロックするときの第１ロックナンバ（暗証番号）、第１ロックナンバの入力によりロックされた前記複数の機能のうち一部の機能のロックだけを制御回路３６により解除するときの第２ロックナンバ（暗証番号）、第２ロックナンバの入力により解除された前記一部の機能を制御回路３６によりロックするときの第３ロックナンバ（暗証番号）、受信した電子メール、所定の電話番号などが記憶されている。
【００２１】
具体的には、「複数の機能」としては、電話機能（発信機能（他の通信装置に対して呼出信号を発信して通信を開始させる機能をいう。）、電話帳機能（ＲＡＭ４０に格納した電話番号をディスプレイ４２に表示させると共に、ディスプレイ４２に表示させた状態で通話キー５０を押すことにより、この電話番号の相手先に通信を開始することができる機能をいう。）、リダイヤル機能（発信機能を用いて他の通信装置と通信し終わった後、再度同じ相手に電話をかける際に使用する機能をいう。）及びコールバック機能（相手方からの呼出信号に呼応して始めた通信が終了した後、再度同じ相手と通信したい場合に使用する機能をいう。）、電子メール機能（電子メールの送受信）及びインターネット接続機能（インターネットへの接続）がある。
【００２２】
「一部の機能」としては、例えば、上述した複数の機能のうちの電話機能や、上述した複数の機能のうちの電子メール機能というだけではなく、電話機能において一定時間だけ通話することができる時間制限通話機能や、電子メール機能において受信した電子メールに対してのみ電子メールを送信することができる限定送信機能や、インターネット機能において一定時間だけ接続することができる時間制限接続機能など、がある。
【００２３】
なお、これらの機能は、特に限定されるものではなく、例えばＣＣＤなどの撮像手段による撮像機能など携帯電話装置１０が有する全ての機能が対象となる。
【００２４】
また、制御回路３６には、液晶のディスプレイ４２が接続されている。このディスプレイ４２には、現在の時刻、電話番号、電子メールの内容、インターネットによりダウンロードされたサイト画像、入力された各ロックナンバ等の所定の情報が表示される。
【００２５】
また、制御回路３６には、入力部４４が接続されている。この入力部４４は、電話番号や各ロックナンバ等の入力を行うテンキー４８と、通話の開始を操作する通話キー５０と、通話の終了を操作する切キー５２と、電子メール機能やインターネット機能などの各種機能の設定を行う機能キー５４と、を有している。
【００２６】
次に、本実施形態に係る携帯電話装置１０の作用について、図２及び図３に示すフローチャートに基づいて説明する。
【００２７】
図２及び図３に示すように、ユーザが機能キー５４でディスプレイ４２をロックナンバ入力画面に設定した後、所定のロックナンバをテンキー４８により入力する。所定のロックナンバがテンキー４８により入力されると、ステップ１００で制御回路３６によりロックナンバの入力有りと判断され、この所定のロックナンバがＲＡＭ４０に記憶されている第１ロックナンバと同一か否が判断される（ステップ１２０）。入力された所定のロックナンバと第１ロックナンバとが同一であると判断されると、制御回路３６により第１ロックが実行される（ステップ１４０）。
【００２８】
具体的には、第１ロックが実行されると、電話機能、電話帳機能、リダイヤル機能、コールバック機能、電子メール機能、インターネット機能などがロックされ、使用できなくなる。これにより、携帯電話装置１０を紛失したり盗まれたりした場合に、他人がこれらの機能を使用することができなくなり、ユーザの安全性を確保できる。
【００２９】
一方、ステップ１２０においてテンキー４８により入力された所定のロックナンバとＲＡＭ４０に記憶された第１ロックナンバとが同一でないと制御回路３６により判断された場合には、ディスプレイ４２においてエラー表示（ステップ１６０）がなされ、正しく入力されるまでロックナンバが問われ続ける。
【００３０】
また、ユーザ（例えば、両親）が特定人（例えば、子供）に携帯電話装置１０を使用させる場合などには、機能キー５４でディスプレイ４２をロックナンバ入力画面に設定した後、テンキー４８により所定のロックナンバを入力する。所定のロックナンバがテンキー４８により入力されると、ステップ１８０で制御回路３６によりロックナンバの入力有りと判断され、この所定のロックナンバがＲＡＭ４０に記憶されている第１ロックナンバと同一か否が判断される（ステップ２００）。入力された所定のロックナンバと第１ロックナンバとが同一でないと判断されると、制御回路３６によりこの所定のロックナンバがＲＡＭ４０に記憶されて第２ロックナンバと同一か否かが判断される（ステップ２２０）。入力された所定のロックナンバと第２ロックナンバとが同一であると判断されると、制御回路３６により第２ロックが実行される（ステップ２４０）。この第２ロックが実行されると、ステップ１４０でロックされた複数の機能のうちの一部の機能のロックが制御回路３６により解除される。
【００３１】
具体的には、第２ロックが実行されると、電話機能、電話帳機能、リダイヤル機能、コールバック機能、電子メール機能、インターネット機能などのロックされた複数の機能のうち、一部の機能の使用が可能となる。また、一定時間だけ通話することができる時間制限通話機能や一定時間だけインターネットに接続することができる時間制限接続機能、さらに受信した電子メールの送信者に対してのみ電子メールを送信することができる限定送信機能の使用が可能となる。このように、特定人（例えば、子供）に必要な一部の機能をその特定人に使用させることができるようになる。
【００３２】
尚、第２ロックは第１ロックでロックさせなかった機能をロックさせても良い。
【００３３】
なお、特定人が使用できる一部の機能以外の他の機能については、第１ロックナンバを特定人に教えなければ特定人は他の機能を使用することができない。
【００３４】
一方、ステップ２００において、入力された所定のロックナンバが第１ロックナンバと同一であると判断されると、第１ロックが解除される（ステップ２６０）。また、テンキー４８により入力された所定のロックナンバとＲＡＭ４０に記憶された第２ロックナンバとが同一でない場合には、ディスプレイ４２においてエラー表示（ステップ２８０）がなされ、正しく入力されるまでロックナンバが問われ続ける。
【００３５】
また、特定人は使用可能な一部の機能を他人が無断で使用することができなくなるようにする場合には、機能キー５４でディスプレイ４２をロックナンバ入力画面に設定した後、自らテンキー４８により所定のロックナンバを入力する。所定のロックナンバがテンキー４８により入力されると、ステップ３００で制御回路３６によりロックナンバの入力有りと判断され、この所定のロックナンバがＲＡＭ４０に記憶されている第２ロックナンバと同一か否が判断される（ステップ３２０）。入力された所定のロックナンバと第２ロックナンバとが同一でないと判断されると、制御回路３６によりこの所定のロックナンバがＲＡＭ４０に記憶されて第３ロックナンバと同一か否かが判断される（ステップ３４０）。入力された所定のロックナンバと第３ロックナンバとが同一であると判断されると、制御回路３６により第３ロックが実行される（ステップ３６０）。この第３ロックが実行されると、ステップ２４０でロックが解除された前記一部の機能が制御回路３６によりロックされる。これにより、ステップ２４０においてロックが解除された一部の機能が再度、ロックされ、他人がその一部の機能を使用することができなくなる。この結果、他人が特定人に無断で一部の機能を使用することができなくなるため、特定人のプライバシーを守ることができる。
【００３６】
尚、第３ロックは第１、第２ロックがロックした機能とは異なる機能をロックさせてもよい。
【００３７】
一方、ステップ３２０において、入力された所定のロックナンバが第２ロックナンバと同一であると判断されると、第２ロックが解除される（ステップ３８０）。第２ロックが解除されると、ステップ１４０において再度第１ロックが実行される。また、テンキー４８により入力された所定のロックナンバとＲＡＭ４０に記憶された第３ロックナンバとが同一でない場合には、ディスプレイ４２においてエラー表示（ステップ４００）がなされ、正しく入力されるまでロックナンバが問われ続ける。
【００３８】
さらに、第３ロックを解除したい場合には、ユーザが機能キー５４でディスプレイ４２をロックナンバ入力画面に設定した後、所定のロックナンバをテンキー４８により入力する。所定のロックナンバがテンキー４８により入力されると、ステップ４２０で制御回路３６によりロックナンバの入力有りと判断され、この所定のロックナンバがＲＡＭ４０に記憶されている第３ロックナンバと同一か否が判断される（ステップ４４０）。ステップ４４０において、入力された所定のロックナンバが第３ロックナンバと同一であると判断されると、第３ロックが解除される（ステップ４８０）。第３ロックが解除されると、ステップ２４０において再度第２ロックが実行される。また、テンキー４８により入力された所定のロックナンバとＲＡＭ４０に記憶された第３ロックナンバとが同一でない場合には、ディスプレイ４２においてエラー表示（ステップ４６０）がなされ、正しく入力されるまでロックナンバが問われ続ける。
【００３９】
以上のように、ユーザが制御回路３６を作動させる各ロックナンバを持ち、特定人には第３ロックナンバだけを知らせておくことにより、特定人に必要な一部の機能だけを特定人に使用させることができると共に、その一部の機能について特定人以外の他人の使用を制限することができ特定人のプライバシーを守ることができる。
尚、第１のロックナンバの入力に応じて複数の機能の使用を制限し、該制限の状態で、前記第１のロックナンバと異なる第２のロックナンバの入力に応じて、前記第１のロックナンバの入力による機能制限を解除すると共に、前記第１のロックナンバの入力により制限された機能と異なる機能を制限する構成としてもよい。
又、第１のロックナンバの入力に応じて複数の機能の使用を制限し、該制限の状態で、前記第１のロックナンバと異なる第２のロックナンバの入力に応じて、前記第１のロックナンバの入力による機能制限を解除すると共に、前記第１のロックナンバの入力により制限された機能の一部と前記第１のロックナンバの入力により制限された機能と異なる機能とを制限しても良い。
更に、第１のロックナンバの入力に応じて複数の機能の使用を制限し、該制限の状態で、前記第１のロックナンバと異なる第２のロックナンバの入力に応じて、前記第１のロックナンバの入力により制限された機能の一部を解除すると共に、前記第１のロックナンバの入力により制限された機能と異なる機能を制限しても良い。
又、第１のロックナンバで、前記機能の内複数の機能の使用を制限し、前記第１のロックナンバと異なる第２のロックナンバで、前記制限した複数の機能の内、所定の機能の使用の制限のみ解除しても良い。
これらの構成とすることにより、複数の使用者間で携帯電話を使用し、一方の使用者から他方の使用者へ携帯電話を貸すときに、複数のロックナンバを用いて、貸し出す相手先や状況に応じて所望の機能のみを規制することが可能である。又、使用者夫々が固有のロックナンバと該ロックナンバに対応する機能制限を持っておき、使用者間で携帯電話装置を貸しあう際に、その人だけの機能制限を行なうことが可能である。
【図面の簡単な説明】
【００４０】
【図１】本発明の一実施形態に係る携帯電話装置のブロック図である。
【図２】本発明の一実施形態に係る携帯電話装置の作用の一部を示すフローチャートである。
【図３】本発明の一実施形態に係る携帯電話装置の作用の一部を示すフローチャートである。
【符号の説明】
【００４１】
１０      携帯電話装置
３６      制御回路（制御手段）
【図１】
2005244675.tif 000003
【図２】
2005244675.tif 000004
【図３】
2005244675.tif 000005